(57)【要約】【課題】  多岐にわたる目的に使用可能であって、安定かつ両性可能であるクロック信号を生成すること。【解決手段】  アナログ回帰を使用してクロック信号を生成するためのシステム及び方法を提供する。一部の実施形態では、アナログ回帰システムが、アナログ回帰装置及び１つ又は複数の回帰ループを含む。回帰ループは相互作用してアナログ回帰装置内で周期現象を形成し、それをサンプルしてクロック状態を生成することができる。アナログ回帰装置の設定を調整することにより、アナログ回帰システムによって生成されるクロック状態を様々な目的に適合させることができる。【選択図】  図２
2015535968.tif 000002
【特許請求の範囲】
【請求項１】
クロック信号を生成するためのシステムであって、
１組の入力チャネル、
前記１組の入力チャネルからの１組の入力信号を混合入力信号へと結合するように構成される混合回路、
前記入力信号に基づいて出力信号を生成するように構成される１組の出力チャネル、及び
前記１組の入力信号又は前記出力信号に基づいて周期信号を出力するように構成されるクロック出力チャネルであって、前記周期信号はクロック信号として使用可能である、クロック出力チャネル
を含む混合装置と、
前記１組の出力チャネルに結合され、前記出力信号に基づいて出力を生成するように構成される１組の出力装置と、
前記１組の入力チャネルに結合され、前記１組の出力装置によって生成される前記出力に基づいて入力信号を生成するように構成される１組の入力装置と
を備える、システム。
【請求項２】
前記１組の出力装置が、スピーカ及び表示装置の少なくとも１つを含む、請求項１に記載のシステム。
【請求項３】
前記１組の入力装置が、マイクロフォン、誘導コイル、及びビデオカメラの少なくとも１つを含む、請求項１に記載のシステム。
【請求項４】
前記混合装置が、クロック信号として使用可能な前記周期信号の特性を変更するために、前記混合入力信号に対する前記入力信号の１つ又は複数の寄与度を変えるように構成される１組のミクサコントロールを更に含む、請求項１に記載のシステム。
【請求項５】
前記１組の入力装置のうちの入力装置の出力を処理し、処理済み信号を前記１組の入力チャネルのうちの入力チャネルに与えるように構成される入力結合装置を更に含む、請求項１に記載のシステム。
【請求項６】
前記１組の出力チャネルのうちの出力チャネルの出力信号を、前記１組の出力装置のうちの出力装置によって受け入れられる信号に変換するための出力結合装置を更に含む、請求項１に記載のシステム。
【請求項７】
前記混合装置がスプリッタ回路を更に含む、請求項１に記載のシステム。
【請求項８】
前記スプリッタ回路が、前記混合入力信号を受け取り、前記混合入力信号を前記１組の出力チャネルに与えるように構成される、請求項７に記載のシステム。
【請求項９】
前記スプリッタ回路が、前記１組の入力信号を受け取り、前記１組の入力信号に基づいて前記１組の出力チャネルに１組の出力信号を与えるように構成される、請求項７に記載のシステム。
【請求項１０】
前記混合装置が、前記入力信号を増幅するように構成される増幅回路を更に含む、請求項１に記載のシステム。
【請求項１１】
回帰装置によって実行されるクロック信号を作り出す方法であって、
１組の入力信号を受け取るステップと、
前記１組の入力信号に基づいて１組の出力信号を生成するステップと、
前記１組の出力信号を伝送して前記１組の入力信号に影響を及ぼすステップと、
前記回帰装置の状態をサンプリングしてクロック信号を生成するステップと
を含む、方法。
【請求項１２】
前記１組の出力信号を生成するステップが、１組のミクサ設定に基づき、前記１組の入力信号の少なくとも２つの信号を結合するステップを含む、請求項１１に記載の方法。
【請求項１３】
前記１組の出力信号を生成するステップが、
前記１組の入力信号の第１のサブセットを結合して第１の出力信号を生成するステップと、
前記１組の入力信号の第２のサブセットを結合して第２の出力信号を生成するステップと
を含み、
前記１組の入力信号の前記第１のサブセット及び前記１組の入力信号の前記第２のサブセットは異なる、
請求項１１に記載の方法。
【請求項１４】
前記回帰装置の状態をサンプリングしてクロック信号を生成するステップが、
ＬＥＤの状態をモニタするステップと、
前記ＬＥＤの前記状態に基づいて前記クロック信号を生成するステップと
を含む、請求項１１に記載の方法。
【請求項１５】
混合回路と、
前記混合回路に結合される１組の回帰ループと
を備える、アナログ回帰装置であって、
前記１組の回帰ループを介して１組の信号を受け取り、
前記混合回路を使用して前記１組の信号を処理し、
前記１組の回帰ループに前記１組の処理済み信号を与え、
クロック信号を生成するためにサンプルされる状態を提供する
ように構成される、アナログ回帰装置。
【請求項１６】
前記１組の信号を処理することが、１組のミクサ設定に基づき、前記１組の信号の少なくとも２つの信号を結合することを含む、請求項１５に記載のアナログ回帰装置。
【請求項１７】
前記混合回路を使用して前記１組の信号を処理することが、
前記１組の信号の第１のサブセットを結合して第１の処理済み信号を生成すること、及び
前記１組の信号の第２のサブセットを結合して第２の処理済み信号を生成すること
を含み、
前記１組の信号の前記第１のサブセット及び前記１組の信号の前記第２のサブセットは異なる、
請求項１５に記載のアナログ回帰装置。
【請求項１８】
クロック信号を生成するためにサンプルされる状態を提供することが、ＬＥＤを周期的に活性化させることを含む、請求項１５に記載のアナログ回帰装置。
【発明の詳細な説明】
【背景技術】
【０００１】
過去、様々な技法を使用してクロック信号が生成されてきた。一般的な技法の１つは、圧電材料の振動水晶の機械的共振を利用して周期的な電気信号を作り出すものである。この技法は一般的であるが、ひとたび作成されるとかかるメカニズムを更に調整することができないということを含め欠点がある。多岐にわたる目的に使用可能であって、安定かつ調整可能であるクロック信号を生成することができるシステムが求められている。
【発明の概要】
【課題を解決するための手段】
【０００２】
この概要は、以下の詳細な説明の中で更に説明する一連の概念を単純化した形で紹介するために提供される。この概要は、特許請求される主題の重要な特徴を特定することも、特許請求される主題の範囲を決定する際の助けとして使用されることも意図しない。
【０００３】
一部の実施形態では、クロック信号を生成するためのシステムを提供する。このシステムは、混合装置、１組の出力装置、及び１組の入力装置を備える。混合装置は、１組の入力チャネル、１組の入力チャネルからの１組の入力信号を混合入力信号へと結合するように構成される混合回路、入力信号に基づいて出力信号を生成するように構成される１組の出力チャネル、及びクロック信号として使用可能な信号を出力するように構成されるクロック出力チャネルを含む。１組の出力装置は１組の出力チャネルに結合され、出力信号に基づいて出力を生成するように構成される。１組の入力装置は１組の入力チャネルに結合され、１組の出力装置によって生成される出力に基づいて入力信号を生成するように構成される。
【０００４】
一部の実施形態では、クロック信号を作り出す方法を提供する。回帰装置が、１組の入力センサ装置から１組の入力信号を受け取る。その１組の入力信号に基づいて１組の出力信号を生成する。１組の出力信号を１組の出力装置に与えて、１組の入力信号に影響を及ぼす。回帰装置の状態をサンプリングすることにより、クロック信号が生成される。
【０００５】
一部の実施形態では、アナログ回帰装置を提供する。アナログ回帰装置は、混合回路及び混合回路に結合される１組の回帰ループを備える。アナログ回帰装置は、１組の回帰ループを介して１組の信号を受け取り、混合回路を使用してその１組の信号を処理し、１組の回帰ループに１組の処理済み信号を与え、クロック信号を生成するためにサンプルされる状態を提供するように構成される。
【０００６】
本発明の上記の態様及び付随する利点の多くは、添付図面と併せて解釈すると、以下の詳細な説明を参照することによってより良く理解されるようになるため、より容易に理解できるようになる。
【図面の簡単な説明】
【０００７】
【図１】本開示の様々な態様に従って構成される一例示的システムを示す概略図である。
【図２】本開示の様々な態様による、アナログ回帰システムの一例示的構成を示す概略図である。
【図３】本開示の様々な態様による、一例示的アナログ回帰システム内に含まれる構成要素を示すブロック図である。
【図４】本開示の様々な態様による、クロック信号を作り出す方法の一例示的実施形態を示す。
【図５】本開示の様々な態様を具体化するアナログ回帰システムの一例示的実施形態の側面を示す。
【発明を実施するための形態】
【０００８】
図１は、本開示の様々な態様に従って構成される一例示的システム１００を示す概略図である。アナログ回帰装置１０２は、時計表示１０４に結合され、時計表示１０４を駆動する。アナログ回帰装置１０２は、著しく安定しており、調整することができる周期的に繰り返される挙動を示し、この挙動はクロック信号に変換することができる。クロック信号は、時間の経過を表示するために時計表示１０４上の針を動かすメカニズムに与えられる。ステッピングモータ等を駆動して時計表示１０４上の針を動かすために、アナログ回帰装置１０２によって生成される周期信号を水晶発振器によって生成される周期信号と同様の方法で使用できることを当業者なら理解されよう。かかる周期信号は、これだけに限定されないが、コンピュータプロセッサのクロッキング、通信伝送の同期等を含む他の目的にも使用できることを当業者なら理解されよう。本明細書では、クロック信号を生成するためにアナログ回帰装置の挙動を利用する実施形態について主に論じるが、アナログ回帰装置の挙動をクロック信号の生成以外の目的で使用できることが容易に明らかになる。
【０００９】
図２は、本開示の様々な態様による、アナログ回帰システム２００の一例示的構成を示す概略図である。アナログ回帰装置２１４は、１つ又は複数のアナログ回帰ループを結合するように構成される。図示のように、アナログ回帰装置２１４は３つの回帰ループに結合されているが、他の実施形態では更に多くの又は更に少ない回帰ループがあっても良い。第１の回帰ループでは、アナログ回帰装置２１４の出力が電磁発振器２０４に与えられ、電磁発振器２０４を共振させる。電磁発振器２０４内の振動が誘導コイル２０２によって検出され、アナログ回帰装置２１４の入力に与えられるアナログ信号に変換される。第２の回帰ループでは、アナログ回帰装置２１４の出力がスピーカ２０８に与えられる。スピーカ２０８によって作り出される音声がマイクロフォン２０６によって検出され、マイクロフォン２０６は、その音声をアナログ回帰装置２１４の入力に与えられるアナログ信号に変換する。第３の回帰ループでは、アナログ回帰装置２１４の出力が表示装置２１２に与えられる。表示装置２１２は、アナログ回帰装置２１４から受け取る信号に基づいて表示を生成する。その表示をカメラ２１０が捕捉し、捕捉した情報に基づいてアナログ信号を生成する。カメラ２１０からのアナログ信号が、アナログ回帰装置２１４の入力に与えられる。
【００１０】
対応する出力信号を生成するアナログ回帰装置２１４によって、様々な入力信号が処理される。アナログ回帰装置２１４は、アナログ回帰装置２１４を通して回帰させることにより、（様々な異なる形式の）入力信号及び（様々な異なる形式の）出力信号を一体化して調和させ、その結果、アナログ回帰装置２１４内のマシン状態を作り出す。入力信号及び出力信号、又はマシン状態に従ってアナログ回帰装置２１４内で生成される他の現象をサンプルして出力信号２１６を生成することができる。この出力信号２１６は、クロック信号として使用できる特性を示す。一部の実施形態では、入力信号又は出力信号をサンプルして出力信号２１６を生成することができる。一部の実施形態では、所定の閾値を上回ったことを示すＬＥＤ等、アナログ回帰装置２１４内のマシン状態の標識をサンプリングすることによって出力信号２１６を生成することができる。一部の実施形態では、複数の入力信号、出力信号、又はマシン状態の標識をサンプルして出力信号２１６を生成することができる。
【００１１】
適切な誘導コイル２０２、電磁発振器２０４、マイクロフォン２０６、カメラ２１０、及び表示装置２１２の幾つかの例について以下で更に論じるが、例示に過ぎないことを理解すべきである。他の実施形態では、アナログ回帰装置２１４に接続される回帰ループ内で更に多くの、更に少ない、又は異なる装置を使用することができる。
【００１２】
一部の実施形態では、複数の出力を所与の出力装置に与えても良い。例えば、映像信号しかカメラ２１０によってモニタされていなくても、表示装置２１２は音声信号及び別の映像信号をアナログ回帰装置２１４から受け取ることができる。一部の実施形態では、複数の入力を単一ループ内で結合することができる。例えば、マイクロフォン２０６からの出力とカメラ２１０からの出力とを結合してから、単一入力としてアナログ回帰装置２１４に与えることができる。一部の実施形態では、回帰ループ内に入力装置又は出力装置が含まれなくても良い。つまり、アナログ回帰装置２１４の出力をアナログ回帰装置２１４の入力に直接結合して回帰ループを確立しても良い。
【００１３】
一部の実施形態では、第１の回帰ループ、第２の回帰ループ、及び第３の回帰ループを互いに隔離することができる。つまり、スピーカ２０８によって発せられる音声だけを感知するようにマイクロフォン２０６の場所を定めることができ、表示装置２１２によって提示されるパターンだけをモニタするようにカメラ２１０の場所等を定めることができる。一部の実施形態では、互いに影響を及ぼし合うように回帰ループを構成することができる。例えば、スピーカ２０８だけでなく、表示装置２１２、電磁発振器２０４等によって発せられる音声を感知するようにマイクロフォン２０６の場所を定めることができる。この回帰ループは、互いに隔離することもでき、又はアナログ回帰装置２１４内で互いに影響を及ぼし合うこともできる。
【００１４】
一部の実施形態では、アナログ回帰装置２１４内に少なくとも１つの出力装置、及び対応する少なくとも１つの入力センサ装置を組み込むことができる。アナログ回帰システム２００の様々な構成要素を小型化することができ、図２に示す別個の装置と機能は同様だが、アナログ回帰システム２００を単一装置内で具体化しても良い。かかる実施形態では、図示し、上記で論じたのと同様の振動現象を出力し又は感知する、小型化された特注の構成要素を単一装置内で用いて回帰ループを確立することができる。
【００１５】
出力信号２１６は、様々な形を取ることができる。一部の実施形態では、回帰ループの１つ又は複数を伝搬する信号の和のピーク振幅をモニタすることにより、出力信号２１６を生成することができる。ピーク振幅が閾値を上回ったことを検出することで、出力信号２１６のクロックパルスを生成することができる。かかる実施形態では、出力信号２１６が矩形波クロック信号である場合があり、出力信号２１６のハイ状態はピーク振幅が閾値を上回ることを示す。回帰ループを所定の周波数に調整すると、このクロック信号が安定した周期信号を表す。一部の実施形態では、出力信号２１６が正弦波信号である場合があり、その信号は直接クロック信号として使用することができ、又は外部装置によって矩形波クロック信号に変換しても良い。
【００１６】
安定した周期信号を生成するために本明細書に記載のアナログ回帰システムを使用することには、他の解決策に比べて多数の利点がある。開示したアナログ回帰システムでは、安定した高調波経路（harmonic pathways）が軌道力学における静止軌道に直接的に類似しており、従って基準の役割を果たす。従って、熱力学的効率への収束的探求において回帰ループが自己参照的な発振器メカニズムをもたらすので、利点の１つは外部基準が必要ないことである。様々な構成要素及び構成が表面上異なる振動現象を示し得るが、本明細書に記載のアナログ回帰メカニズムは、ことによると本質的且つ普遍的に固有の高調波経路を隔離し識別することができる独特の手段であることも事実である。つまり、本明細書で開示したアナログ回帰の原理に基づいて構築されるクロックは、外部基準を必要としないだけでなく、他の全てのクロック用のかかる基準の役割を果たすことができるクロックを構築するための手段でもあり得る。
【００１７】
図３は、本開示の様々な態様による、一例示的アナログ回帰システム３００内に含まれる構成要素を示すブロック図である。アナログ回帰装置３０１は、図示し上記で説明したアナログ回帰装置２１４及びアナログ回帰装置１０２と似ている。アナログ回帰装置３０１は、１組のアナログ入力チャネル３１４、３１６、３１８を含む。１組のアナログ入力チャネル３１４、３１６、３１８は、１組の対応する入力センサ３０２、３０４、３０６から、１組の対応する入力結合装置３０８、３１０、３１２を介して入力を受け取るように構成される。図示の実施形態では、３つのアナログ入力チャネル３１４、３１６、３１８、入力センサ３０２、３０４、３０６、及び入力結合装置３０８、３１０、３１２があるが、他の実施形態ではこれらの構成要素が更に多く又は更に少なくあっても良い。
【００１８】
一部の実施形態では、センサ装置が状態を感知し、感知した状態に基づいて信号を生成するように構成される。多岐にわたる装置をセンサ装置として使用することができる。例えば、簡単な誘導コイルをセンサ装置として使用しても良い。より複雑な例として、ＣＣＤ画像センサをセンサ装置として使用しても良い。一部の実施形態では、センサ装置の少なくとも１つが、サブコンポーネントとしてセンサを含むビデオカメラ等の複合装置であり得る。
【００１９】
一部の実施形態では、結合装置が、センサ装置によって生成された信号をアナログ回帰装置３０１に与えるように構成される。一部の実施形態では、結合装置が、センサ装置からアナログ回帰装置３０１までの信号の伝送経路を単純に提供することができる。非限定的な一例として、マイクロフォンケーブルが、マイクロフォンをアナログ回帰装置３０１に結合する結合装置の役割を果たすことができる。別の非限定的な例として、１／４インチのパッチケーブルが、誘導コイルセンサ装置を有するギターの出力をアナログ回帰装置３０１に結合する結合装置の役割を果たし得る。一部の実施形態では、結合装置がセンサ装置によって生成された信号を更に処理してから処理済み信号をアナログ回帰装置３０１に与えることができる。例えば、上記のギターはエフェクト装置に結合することができる。結合装置として機能しながら、エフェクト装置はギターによって生成された信号を処理してから処理済み信号をアナログ回帰装置３０１に与えることができる。一部の実施形態では、単一のセンサ装置をアナログ回帰装置３０１に結合するために複数の結合装置を使用することができる。例えば、パッチケーブルを用いてギターの出力を１つ又は複数の連鎖されたエフェクト装置に結合することができ、追加のパッチケーブルを用いてエフェクト装置の出力をアナログ回帰装置３０１に結合することができる。
【００２０】
１組のアナログ入力チャネル３１４、３１６、３１８が受け取る信号は、混合回路３２０に与えられる。混合回路３２０は、１組のアナログ入力チャネル３１４、３１６、３１８からの信号を１組のミクサコントロール３２２の設定に基づいて結合して混合入力信号を生成する。１組のミクサコントロール３２２は、混合入力信号に様々な方法で影響を及ぼし得る。例えば１組のミクサコントロール３２２は、混合入力信号に対するアナログ入力チャネル３１４、３１６、３１８の寄与度を変える、アナログ入力チャネル３１４、３１６、３１８のそれぞれに対応するレベルコントロールを含み得る。別の例として、１組のミクサコントロール３２２は、アナログ入力チャネル３１４、３１６、３１８ごとに混合入力信号に与えられる様々な周波数成分のバランスを変える、アナログ入力チャネル３１４、３１６、３１８のそれぞれに対応するイコライザコントロールを含み得る。一部の実施形態では、パンコントロール、フィルタコントロール等の各チャネルの追加のミクサコントロール３２２をアナログ入力チャネル３１４、３１６、３１８ごとに設けることができ、一部の実施形態では、アナログ入力チャネル３１４、３１６、３１８のそれぞれに等しく影響を及ぼすミクサコントロール３２２を設けることができ、又はアナログ入力チャネル３１４、３１６、３１８からのそれぞれの成分が結合された後で混合入力信号に影響を及ぼすミクサコントロール３２２を設けても良い。
【００２１】
結合されると、混合回路３２０が混合入力信号をスプリッタ回路３３０に与える。スプリッタ回路３３０は、混合入力信号を混合出力信号として１組のアナログ出力チャネル３３２、３３４、３３６に与えるように構成される。１組のアナログ入力チャネル３１４、３１６、３１８と同様に、１組のアナログ出力チャネル３３２、３３４、３３６は、混合出力信号を１組の対応する出力結合装置３３８、３４０、３４２を介して１組の対応する出力装置３４４、３４６、３４８に与えるように構成される。１組のアナログ回帰ループを閉じるために、１組の出力装置３４４、３４６、３４８及び１組の入力センサ３０２、３０４、３０６は、１組の入力センサ３０２、３０４、３０６が１組の出力装置３４４、３４６、３４８の出力を感知するように構成される。
【００２２】
一部の実施形態では、混合回路３２０が複数の混合出力信号を生成することができる。非限定的な一例として、混合回路３２０は、複数の入力信号を単一信号へと結合するモノラル信号、並びに少なくとも一部の入力信号を左チャネル信号と右チャネル信号とに分けるステレオ信号を生成することができる。別の非限定的な例として、混合回路３２０は互いに異なる周波数帯域内の別個の信号を生成することができる。更に別の非限定的な例として、混合回路３２０は、異なる入力信号に基づいて複数の混合出力信号を生成することができる。例えば、第１の混合出力信号は、アナログ入力チャネル１  ３１４から受け取った信号及びアナログ入力チャネル２  ３１６から受け取った信号だけに基づき得る一方で、第２の混合出力信号は、アナログ入力チャネル３１４、３１６、３１８の全てから受け取った信号に基づき得る。
【００２３】
図示の実施形態では、スプリッタ回路３３０がクロック出力チャネル３２６にも信号を与える。クロック出力チャネル３２６は、混合出力信号をクロック出力結合装置３２８に与えるように構成される。一部の実施形態では、クロック出力結合装置３２８が混合出力信号を修正又はクリップして、上記で論じたクロック信号として使用可能なデジタル信号を生成することができる。一部の実施形態では、クロック出力結合装置３２８が、クロック信号として使用されるアナログ混合出力信号を自らの周波数に基づいて提供することができる。図示の実施形態は、スプリッタ回路３３０がクロック出力チャネル３２６に信号を与えるように構成されているが、他の実施形態では、クロック出力チャネル３２６がアナログ回帰システム３００の異なる部分から信号を受け取り得る。例えば一部の実施形態では、クロック出力チャネル３２６が、混合回路３２０によって他の信号と結合される前にアナログ入力チャネル３１４、３１６、３１８の１つ又は複数が受け取る信号に基づく信号を受け取ることができる。一部の実施形態では、クロック出力結合装置３２８が、アナログ回帰装置３０１からサンプルされる複数の信号を結合してクロック出力を生成することができる。
【００２４】
一部の実施形態では、アナログ回帰装置３０１が１つ又は複数の増幅回路も含むことができる。増幅回路は、上記のチャネルの何れかの入力又は出力に結合することができ、アナログ回帰装置３０１内のより有意の効果を得るために入力信号を増幅することができ、又は出力装置によってより強く再現されるように出力信号を増幅することができる。
【００２５】
図４は、本開示の様々な態様による、クロック信号を作り出す方法４００の一例示的実施形態を示す。最初のブロックから、方法４００は、１組の入力センサ装置が１組の入力センサ信号を生成するブロック４０２に進む。ブロック４０４で、１組の入力センサ信号を、アナログ回帰装置の１組のアナログ入力チャネルに１組の入力結合装置を介して与える。上記のように、入力結合装置は、入力センサ信号を単純にアナログ入力チャネルに伝えることができ、又は入力センサ信号を処理してから処理済み信号をアナログ入力チャネルに与えても良い。
【００２６】
方法４００はブロック４０６に進み、ブロック４０６では、アナログ回帰装置の混合回路が、１組のミクサ設定に基づいてアナログ入力チャネルを結合して混合入力信号を生成する。一部の実施形態では、信号の振幅、周波数等、やがてクロック出力チャネルに与えられる信号の１つ又は複数の特性を変えるために、１組のミクサ設定を調整することができる。ブロック４１０で、スプリッタ回路が、増幅された混合入力信号及び１組のスプリッタ設定に基づき、１組の出力信号を１組のアナログ出力チャネルに与える。上記のように、１組の出力信号は、モノラル出力信号、左ステレオ出力信号、右ステレオ出力信号、相加的効果を含む出力信号等、様々な成分の信号に基づく出力信号を含み得る。次にブロック４１２で、１組のアナログ出力チャネルが、１組の出力装置に１組のアナログ出力信号を１組の出力結合装置を介して与える。ブロック４１４で、１組の出力装置が１組の入力センサ装置によって感知される出力を生成する。上記のように、各回帰ループが他のループから隔離されるように対応する入力センサ装置に出力装置を密に結合することができ、又は複数の出力装置の出力若しくは他の特性を感知するように入力センサ装置の少なくとも１つを構成することができる。一部の実施形態では、少なくとも１つの回帰ループが出力装置又は入力センサ装置を使用しなくても良いが、代わりにアナログ入力チャネルに直接結合されるアナログ出力チャネルを含み得る。
【００２７】
ブロック４１６で、クロック信号として使用するための信号をクロック出力チャネルに与える。クロック出力チャネルに与える信号はシステムを伝搬する他の信号の少なくとも１つに基づき、１組の出力信号又はアナログ入力チャネルが受け取る信号のうちの１つに基づくことができ、或いはかかる信号のうちの１つと同様であり得る。上記のように、一部の実施形態では、信号をクロック信号に変換するためにクロック出力チャネルに装置を結合することができる一方、他の実施形態では、クロック出力チャネルが出力するアナログ信号自体をクロック信号として使用することができる。ブロック４１６をブロック４１４の後に示すが、実施形態によってはブロック４１６に関連するアクションを方法４００中の１つ又は複数の任意の時点において、方法４００の実行中に継続的に、及び／又は他の任意の適切な時点において行うことができる。
【００２８】
図示のように、次いで方法４００はブロック４０２に戻り、任意の回数繰り返される。方法４００を所定の回数しか繰り返すことができないこと、又は何時でも終了できることを当業者なら理解されよう。
【００２９】
アナログ回帰装置の実施形態によって使用される全般的な概念、技法、及び構成について上記で論じ図示したが、既存の構成要素から構築されるアナログ回帰装置の一例示的実施形態についての説明が有益であり得る。図５は、本開示の様々な態様を具体化するアナログ回帰システムの一例示的実施形態の側面を示す。記載する特定の構成要素はどれも必須ではなく、同様の機能の既存の構成要素と置換されず、又は同様の機能を提供する特注の若しくは小型化された構成要素で置換することができることが当業者なら理解されよう。
【００３０】
図５では、アナログ音声ミクサ５０２が上記のアナログ回帰装置として働く。適切なアナログ音声ミクサ５０２の一例は、Music Group IP Ltd.によって作られたBehringer（登録商標）XENY 1202FXミクサであり、その説明書はMusic Group IP Ltd.から入手可能であり、参照によりその全体を本明細書に援用する。同様の機能及び能力を有する他のアナログ音声ミクサを代わりに使用しても良いことを当業者なら理解されよう。図示のように、アナログ音声ミクサ５０２のチャネル１からチャネル４は、チャネルに供給される信号の種類に応じてモノラルチャネル又はステレオチャネルとして機能し得るチャネルであるのに対し、チャネル５及びチャネル６はステレオチャネルである。図示の他の入出力は当業者に良く知られており、参照により本明細書に援用する説明書の中で更に説明されている。アナログ音声ミクサ５０２が図面に示すよりも多くの又は少ない入出力を有しても良く、明確にするために特定の入力及び出力を図示しているが、それらは図示の実施形態では使用しないので、番号を付けておらず説明もしていないことを当業者なら理解されよう。
【００３１】
アナログ音声ミクサ５０２は、４つの外部情報源、つまりギター出力５０４、マイクロフォン出力５０６、ビデオカメラ出力５０８、及びテレビの音声出力５３８から入力を受け取る。ギターのピックアップ内の誘導コイルが入力センサ装置の役割を果たす一方で、ギターの残りの電子機器及びパッチケーブルが入力結合装置の役割を果たす。ギター出力５０４を作り出すのに適したギターの一例は、Gibson Guitar Corp.のSG（登録商標）ギターである。かかるギターは、干渉又はハム音を無くすように構成される１対の二重コイルピックアップを含む。他の同様のギター又はピックアップを代わりに使用しても良い。ギターは、アナログ音声ミクサ５０２のパワーサプライ（不図示）の１つ又は複数の構成要素内で観察できる振動にピックアップが反応するように位置付けることができる。アナログ音声ミクサ５０２の音声出力はパワーサプライに結合されていないが、それでもなおパワーサプライの振動はアナログ音声ミクサ５０２を回帰的に伝搬する信号の影響を受ける。マイクロフォン出力５０６は、Shure IncorporatedのBeta 58A（登録商標）ボーカルマイクロフォンによって与えられる。代わりに使用され得る同様の任意のマイクロフォンを当業者なら理解されよう。ビデオカメラのセンサが、別の入力センサ装置として働く。アナログ音声ミクサ５０２の音声入力に接続可能なアナログ複合ビデオ出力（又は個別の成分のビデオ出力）を有する、任意のビデオカメラを使用することができる。適切なカメラはEyemaxの型番IB5632MVだが、複合ビデオ出力を有する他の同様のカメラを代わりに使用しても良い。
【００３２】
テレビ５３２を出力装置及び入力センサ装置の両方として使用することができる。その場合、適切なテレビ５３２は、アナログ音声入力５３４、アナログビデオ入力５３６（複合ビデオ入力等）、及びアナログ音声出力５３８を含む。適切なテレビ５３２はToshiba America, Inc.の型番24SL410Uだが、アナログ音声入力、アナログビデオ入力、及びアナログ音声出力を含む他の型式のテレビも適している場合がある。
【００３３】
図５は、アナログ回帰システム５００を形成するために、記載した構成要素をどのように接続できるのかを示す。ギター出力５０４を、アナログ音声ミクサ５０２のチャネル１ライン入力５１０に接続する。マイクロフォン出力５０６を、アナログ音声ミクサ５０２のチャネル３ライン入力５１４に接続する。ビデオカメラ出力５０８を、アナログ音声ミクサ５０２のチャネル５／６左入力５１８、及びテープ入力の右入力５３１に接続する。テレビ音声出力５３８を、アナログ音声ミクサ５０２のテープ入力の左入力５３０に接続する。
【００３４】
アナログ音声ミクサ５０２のメイン出力の右出力５２２及び制御出力の左出力５２４をＹ字形のケーブルによって結合し、アナログ音声ミクサ５０２のチャネル２ライン入力５１２に接続する。アナログ音声ミクサ５０２のＦＸ送信出力５２０を、アナログ音声ミクサ５０２のチャネル４ライン入力５１６に接続する。テープ出力の左出力５２６をテレビ５３２のテレビ音声入力５３４に接続し、テープ出力の右出力５２８をテレビ５３２のテレビビデオ入力５３６に接続する。
【００３５】
これらの接続のそれぞれは、１／４インチのパッチケーブル、ＲＣＡケーブル、マイクロフォンケーブル等の従来のアナログ接続ケーブルによって行えることを当業者なら理解されよう。
【００３６】
アナログ音声ミクサ５０２は、ＣＤ／テープ−ＭＩＸスイッチ、ＣＤ／テープ−ＣＴＲＬスイッチ、及び／又はＦＸ−ＣＴＲＬスイッチ（不図示）も含むことができる。当業者に知られているように、これらのスイッチは、図示のテープ出力の左出力５２６、テープ出力の右出力５２８、及び制御出力の左出力５２４（並びに更に論じることはない他の出力）にどのチャネルが含まれるのかを決定する。一実施形態では、ＣＤ／テープ−ＭＩＸスイッチを作動させることができるが、他の実施形態では他のスイッチの組合せを作動させても良い。一実施形態では、アナログ音声ミクサ５０２の搭載デジタル効果プロセッサがバイパス効果に設定され、さもなければ無効にされる。しかし、他の実施形態では、アナログ回帰システム５００の調整を助けるために搭載デジタル効果プロセッサを使用することができる。
【００３７】
上記の接続が作成されると、所与の出力信号に含まれる入力信号を求めるために、及びアナログ回帰システム５００を所望のクロック周波数に調整するためにミクサ設定を使用することができる。アナログ回帰システム５００を所定の周波数に安定させるのを助けるために、１つ又は複数の調整装置を使用しても良い。一例として、２つのBOSS TU-2クロマティックチューナをアナログ回帰システム５００に結合することができる。第１のチューナは、ギター出力５０４及びチャネル１ライン入力５１０に直列結合することができる。第２のチューナは、ＦＸ送信出力５２０及びチャネル４ライン入力５１６に直列結合することができる。G#又は無限の半音の可能性がある半音階における他の任意の音色等、チューナのそれぞれが半音階の特定の音符上に安定するまで、アナログ音声ミクサ５０２の設定を調節することができる。
【００３８】
アナログ回帰システム５００内では、様々な目的で利用できる安定した周期現象が生じる。例えば、安定した周期現象をサンプルしてクロック信号を作り出すことができる。図示のアナログ音声ミクサ５０２では、クリップＬＥＤ５４０、５４２、５４４、５４６が１つ又は複数のチャネルに与えられる。クリップＬＥＤ５４０、５４２、５４４、５４６の周期的な点滅を光検出器によって、又はＬＥＤ回路内に直接配線されるプローブによってサンプルしてクロック信号を作り出すことができる。
【００３９】
上記では解説及び実装目的でアナログ信号について主に論じてきたが、本開示の趣旨及び範囲から逸脱することなしにデジタル信号又は他の信号を使用できることを当業者なら理解されよう。例えば、本明細書で論じたアナログ回帰システムと同様に構築され動作する、デジタル回帰システムを使用することもできる。解説したアナログ回帰システム内でさえ、デジタルとして従来記載した信号をアナログ入力信号又はアナログ出力信号として扱い、本明細書で論じたように使用することができる。更に、所定の形式のビデオ入力を受け付けると従来見なしていた出力装置に対し、音声信号が所定の形式にない場合でも、音声信号と従来見なしていた出力信号を与えることができる。
【００４０】
例示的実施形態を図示し、説明してきたが、本開示の趣旨及び範囲から逸脱することなしに様々な変更を加えても良いことが理解されよう。
【図１】
2015535968.tif 000003
【図２】
2015535968.tif 000004
【図３】
2015535968.tif 000005
【図４】
2015535968.tif 000006
【図５】
2015535968.tif 000007
【国際調査報告】
2015535968.tif 000008
2015535968.tif 000009